(57)【要約】【課題】駆動ユニット及び従動ユニットの少なくとも一方の基礎体を基準とした高さ位置を低くすることが可能な水門開閉装置を提供する。【解決手段】一端部に扉体Ｐが連結されたチェーンＣ１が掛けられたスプロケット１１及びスプロケット１１を回転駆動させるモータ１２を具備する駆動ユニット１３を有して、扉体Ｐを昇降する水門開閉装置１０において、チェーンＣ１が内側を挿通する貫通孔Ｑ１が形成された基礎体Ｋの上側に固定され、駆動ユニット１３が載置されたベース台２５と、駆動ユニット１３の直下でチェーンＣ１を案内する案内手段２６とを備え、案内手段２６は、全体がベース台２５の下端より低い位置に配されている。【選択図】図１
2020169461.tif 000002
【特許請求の範囲】
【請求項１】
一端部に扉体が連結されたチェーンが掛けられたスプロケット及び該スプロケットを回転駆動させるモータを具備する駆動ユニットを有して、前記扉体を昇降する水門開閉装置において、
前記チェーンが内側を挿通する貫通孔が形成された基礎体の上側に固定され、前記駆動ユニットが載置されたベース台と、前記駆動ユニットの直下で前記チェーンを案内する案内手段とを備え、前記案内手段は、全体が前記ベース台の下端より低い位置に配されていることを特徴とする水門開閉装置。
【請求項２】
請求項１記載の水門開閉装置において、前記案内手段は、全体が前記貫通孔の下端より低い位置に配されていることを特徴とする水門開閉装置。
【請求項３】
請求項２記載の水門開閉装置において、前記案内手段は、前記基礎体に下側から固定されていることを特徴とする水門開閉装置。
【請求項４】
モータを具備する駆動ユニットと、一端部に扉体が連結されたチェーンが掛けられ、前記モータの駆動力を伝えられて回転駆動するスプロケットを具備する従動ユニットとを有して、前記扉体を昇降する水門開閉装置において、
前記チェーンが内側を挿通する貫通孔が形成された基礎体の上側に固定され、前記従動ユニットが載置されたベース台と、前記従動ユニットの直下で前記チェーンを案内する案内手段とを備え、前記案内手段は、全体が前記ベース台の下端より低い位置に配されていることを特徴とする水門開閉装置。
【請求項５】
請求項４記載の水門開閉装置において、前記案内手段は、全体が前記貫通孔の下端より低い位置に配されていることを特徴とする水門開閉装置。
【請求項６】
請求項５記載の水門開閉装置において、前記案内手段は、前記基礎体に下側から固定されていることを特徴とする水門開閉装置。
【発明の詳細な説明】
【技術分野】
【０００１】
本発明は水門の扉体を昇降する水門開閉装置に関する。
【背景技術】
【０００２】
水路や河川等の水門には、チェーンが掛けられたスプロケットを回転駆動して、チェーンの一端部に連結された扉体を上昇させる水門開閉装置が設置されている。チェーンは、水門開閉装置の設計に応じて、他端部にウエイトが連結されたり、他端部がチェーン収容機構に接続されたりする。ウエイトは、特許文献１に記載されているように、チェーンの他端部が水平方向に動くのを抑制するためや、水門開閉装置による扉体の上昇を補助するために用いられる。
【０００３】
図５に示すように、従来の水門開閉装置１００は、チェーンＣに噛み合ったスプロケット１０１及びスプロケット１０１を回転駆動させるモータ１０２を有する駆動ユニット１０３が、コンクリート等からなる基礎体Ｇの上側に固定されたベース台１０４に載置されている。
ところで、多くの水門では、駆動ユニット１０３の操作（例えば、手動ハンドル１０５の操作）や点検のために、人が駆動ユニット１０３の所定箇所に触れて作業する。この点、駆動ユニット１０３の大きさ等によっては、作業員が基礎体Ｇ上に立った状態で駆動ユニット１０３の所定箇所に触れられないため、そのような場合には、ベース台１０４の鉛直方向の長さを短くし、駆動ユニット１０３の設置位置を低くすることが求められる。
【先行技術文献】
【特許文献】
【０００４】
【特許文献１】特開２００５−１７１５５７号公報
【発明の概要】
【発明が解決しようとする課題】
【０００５】
しかしながら、従来、駆動ユニット１０３の直下に、チェーンＣを案内する案内手段１０６を設ける際には、案内手段１０６がベース台１０４内に設けられることから、ベース台１０４の鉛直方向の長さを短くするのには限界があった。
これは、駆動ユニットと対となって用いられる従動ユニットでも同様であり、従動ユニットを載置したベース台内に案内手段が設けられる場合、ベース台の鉛直方向の長さを短くするのには限界があった。
【０００６】
本発明は、かかる事情に鑑みてなされたもので、駆動ユニット及び従動ユニットの少なくとも一方の基礎体を基準とした高さ位置を低くすることが可能な水門開閉装置を提供することを目的とする。
【課題を解決するための手段】
【０００７】
前記目的に沿う第１の発明に係る水門開閉装置は、一端部に扉体が連結されたチェーンが掛けられたスプロケット及び該スプロケットを回転駆動させるモータを具備する駆動ユニットを有して、前記扉体を昇降する水門開閉装置において、前記チェーンが内側を挿通する貫通孔が形成された基礎体の上側に固定され、前記駆動ユニットが載置されたベース台と、前記駆動ユニットの直下で前記チェーンを案内する案内手段とを備え、前記案内手段は、全体が前記ベース台の下端より低い位置に配されている。
【０００８】
前記目的に沿う第２の発明に係る水門開閉装置は、モータを具備する駆動ユニットと、一端部に扉体が連結されたチェーンが掛けられ、前記モータの駆動力を伝えられて回転駆動するスプロケットを具備する従動ユニットとを有して、前記扉体を昇降する水門開閉装置において、前記チェーンが内側を挿通する貫通孔が形成された基礎体の上側に固定され、前記従動ユニットが載置されたベース台と、前記従動ユニットの直下で前記チェーンを案内する案内手段とを備え、前記案内手段は、全体が前記ベース台の下端より低い位置に配されている。
【発明の効果】
【０００９】
第１、第２の発明に係る水門開閉装置は、案内手段全体がベース台の下端より低い位置に配されており、ベース台内に案内手段が設けられていないので、ベース台を鉛直方向に短く設計することができ、ベース台に載置された駆動ユニット及びベース台に載置された従動ユニットの少なくとも一方の基礎体を基準とした高さ位置を低くすることが可能である。
【図面の簡単な説明】
【００１０】
【図１】本発明の一実施の形態に係る水門開閉装置の説明図である。
【図２】同水門開閉装置の駆動ユニット側の説明図である。
【図３】同水門開閉装置の従動ユニット側の説明図である。
【図４】（Ａ）は駆動ユニットの下側の案内部材の説明図であり、（Ｂ）は従動ユニットの下側の案内部材の説明図である。
【図５】従来例に係る水門開閉装置の説明図である。
【発明を実施するための形態】
【００１１】
続いて、添付した図面を参照しつつ、本発明を具体化した実施の形態につき説明し、本発明の理解に供する。
図１、図２、図３に示すように、本発明の一実施の形態に係る水門開閉装置１０は、一端部に扉体Ｐが連結されたチェーンＣ１が掛けられたスプロケット１１及びスプロケット１１を回転駆動させるモータ１２を具備する駆動ユニット１３と、一端部に扉体Ｐが連結されたチェーンＣ２が掛けられ、モータ１２の駆動力を伝えられて回転駆動するスプロケット１４を具備する従動ユニット１５とを有して、扉体Ｐを昇降する装置である。以下、詳細に説明する。
【００１２】
駆動ユニット１３及び従動ユニット１５は、図１に示すように、コンクリート等からなる左右方向に長い基礎体Ｋの上側に左右方向に間隔を空けて設けられている。基礎体Ｋには、駆動ユニット１３の直下位置及び従動ユニット１５の直下位置に基礎体Ｋを鉛直方向に貫通する貫通孔Ｑ１、Ｑ２がそれぞれ形成されている。
基礎体Ｋの左右方向に長く上方に盛り上がった突出部Ｋ１には、図１、図２、図３に示すように、駆動ユニット１３の直下位置及び従動ユニット１５の直下位置に板材１６、１７がそれぞれ載置されている。
【００１３】
板材１６、１７を介して、突出部Ｋ１の上側には左右方向に長い鋼材（本実施の形態ではＨ形鋼）１８、１９が前後に間隔を空けて固定されている。平行配置された鋼材１８、１９の左端部の上側には板材２０が取り付けられ、鋼材１８、１９の右端部の上側には板材２１が取り付けられている。駆動ユニット１３及び従動ユニット１５は板材２０の上側及び板材２１の上側にそれぞれ固定されている。
【００１４】
駆動ユニット１３及び従動ユニット１５には、左右方向に長い回転軸２２の左端部及び右端部がそれぞれ連結されている。モータ１２が作動すると、スプロケット１１が回転駆動し、モータ１２の駆動力が回転軸２２経由で従動ユニット１５に与えられてスプロケット１４が回転駆動し、扉体Ｐが上昇する。本実施の形態では、扉体Ｐは自重によって下降し、駆動ユニット１３には扉体Ｐの下降速度が所定値を超えるのを防止する遠心ブレーキが設けられている。
【００１５】
板材１６、２０には、図２に示すように、開口２３、２４がそれぞれ形成されている。一端部に扉体Ｐが、他端部にウエイトＭ１がそれぞれ連結されたチェーンＣ１は、中央部がスプロケット１１に掛けられ、その両側が、上から順に開口２４、鋼材１８の左端部と鋼材１９の左端部の間の空間、開口２３及び貫通孔Ｑ１を挿通している。本実施の形態では、基礎体Ｋの上側に固定され、駆動ユニット１３が載置されたベース台２５が、主として、板材１６、２０、鋼材１８の左端部及び鋼材１９の左端部によって構成されている。
【００１６】
そして、基礎体Ｋの下端領域において貫通孔Ｑ１が形成された位置周辺（駆動ユニット１３の直下に該当する位置）には、図１、図２に示すように、チェーンＣ１を案内する案内手段２６が下側から固定されている。従って、本実施の形態では、案内手段２６は全体がベース台２５の下端より低い位置、更には、貫通孔Ｑ１の下端より低い位置に配されている。
案内手段２６は、図２、図４（Ａ）に示すように、基礎体Ｋに水平状態で固定された板材２７と、チェーンＣ１に接触するローラ部材２８、２９と、ローラ部材２８、２９が回転自在に取り付けられた筒体３０と、筒体３０の下端部に固定されて水平に配されたカバー板３１を有している。
【００１７】
筒体３０は軸心が略鉛直方向に配された状態で板材２７の下側に固定され、チェーンＣ１の他端側は筒体３０を挿通している。板材２７及びカバー板３１には、チェーンＣ１の他端側が挿通する開口３３、３４がそれぞれ形成されている。ローラ部材２８、２９は、チェーンＣ１に接して、ウエイトＭ１（チェーンＣ１の他端部）が扉体Ｐ（チェーンＣ１の一端部）から水平方向に離れるようにチェーンＣ１を案内する。本実施の形態では、案内部材２６が、板材２７及び筒体３０に固定されて案内部材２６の強度を高める補強板３２を左右に具備している。
【００１８】
また、板材１７、２１には、図３に示すように、開口３６、３７がそれぞれ形成されている。一端部に扉体Ｐが、他端部にウエイトＭ２がそれぞれ連結されたチェーンＣ２は、中央部がスプロケット１４に掛けられ、その両側が、上から順に開口３７、鋼材１８の右端部と鋼材１９の右端部の間の空間、開口３６及び貫通孔Ｑ２を挿通している。本実施の形態では、基礎体Ｋの上側に固定され、従動ユニット１５が載置されたベース台３８が、主として、板材１７、２１、鋼材１８の右端部及び鋼材１９の右端部によって構成されている。
【００１９】
基礎体Ｋの下端領域において貫通孔Ｑ２が形成された位置周辺（従動ユニット１５の直下に該当する位置）には、図１、図３に示すように、チェーンＣ２を案内する案内手段３９が下側から固定されている。本実施の形態では、案内手段３９は全体がベース台３８の下端より低い位置、更には、貫通孔Ｑ２の下端より低い位置に配されている。
案内手段３９は、図３、図４（Ｂ）に示すように、基礎体Ｋに水平状態で固定された板材４０と、チェーンＣ２に接触するローラ部材４１、４２と、ローラ部材４１、４２が回転自在に取り付けられた筒体４３と、筒体４３の下端部に固定されて水平に配されたカバー板４４を有している。
【００２０】
筒体４３は軸心が略鉛直方向に配された状態で板材４０の下側に固定され、チェーンＣ２の他端側は筒体４３を挿通している。板材４０及びカバー板４４には、チェーンＣ２の他端側が挿通する開口４６、４７がそれぞれ形成されている。ローラ部材４１、４２は、チェーンＣ２に接して、ウエイトＭ２（チェーンＣ２の他端部）が扉体Ｐ（チェーンＣ２の一端部）から水平方向に離れるようにチェーンＣ２を案内する。本実施の形態では、案内部材３９が、板材４０及び筒体４３に固定されて案内部材３９の強度を高める補強板４５を左右に具備している。
【００２１】
上述したように、水門開閉装置１０では、ベース台２５、３８内に案内手段を設けていない。そのため、ベース台２５、３８は、内側に案内手段が設けられたベース台に比べて鉛直方向の長さを短くすることができ、駆動ユニット１３及び従動ユニット１５の基礎体Ｋを基準とした高さ位置を低くすることが可能である。
そして、案内手段２６、３９は貫通孔Ｑ１、Ｑ２内ではなく、露出した状態で基礎体Ｋに固定されているため、作業員は案内手段２６、３９の点検及びメンテナンスを容易に行うことができる。
【００２２】
また、本実施の形態では、図１、図２、図３に示すように、鋼材１８の左端部及び鋼材１９の左端部にベース台２５の強度を高める複数の補強板４８が取り付けられ、鋼材１８の右端部及び鋼材１９の右端部にベース台３８の強度を高める複数の補強板４９が取り付けられている。案内手段２６の下方及び案内手段３９の下方には、図１に示すように、内側をウエイトＭ１が昇降する筒体５０及び内側をウエイトＭ２が昇降する筒体５１が設けられている。
【００２３】
以上、本発明の実施の形態を説明したが、本発明は、上記した形態に限定されるものでなく、要旨を逸脱しない条件の変更等は全て本発明の適用範囲である。
例えば、案内手段は、基礎体に設けられた貫通孔内に固定されていても良い。
また、案内手段を固定する対象は基礎体に限定されず、例えば、内側をウエイトが昇降する筒体に案内手段を固定しても良い。
そして、案内手段は、チェーンのスプロケットに掛けられた中央部と扉体が連結される一端部の間の領域に接触するものであっても良い。
【００２４】
また、他端部がウエイトではなくチェーン収容機構に連結されているチェーンを案内する案内手段に対して本発明を適用することもできる。即ち、案内手段全体がベース台の下端より低い位置に配されていればよい。
そして、前記した形態では、駆動ユニットに対応するベース台及び従動ユニットに対応するベース台に鋼材を兼用しているが、両方のベース台に兼用される部材を採用する必要はない。
更に、案内手段全体がベース台の下端より低い位置に配されるのは、駆動ユニットに対応するベース台及び従動ユニットに対応するベース台の一方のみでも良い。
【符号の説明】
【００２５】
１０：水門開閉装置、１１：スプロケット、１２：モータ、１３：駆動ユニット、１４：スプロケット、１５：従動ユニット、１６、１７：板材、１８、１９：鋼材、２０、２１：板材、２２：回転軸、２３、２４：開口、２５：ベース台、２６：案内手段、２７：板材、２８、２９：ローラ部材、３０：筒体、３１：カバー板、３２：補強板、３３、３４、３６、３７：開口、３８：ベース台、３９：案内手段、４０：板材、４１、４２：ローラ部材、４３：筒体、４４：カバー板、４５：補強板、４６、４７：開口、４８、４９：補強板、５０、５１：筒体、Ｃ１、Ｃ２：チェーン、Ｋ：基礎体、Ｋ１：突出部、Ｍ１、Ｍ２：ウエイト、Ｐ：扉体、Ｑ１、Ｑ２：貫通孔
【図１】
2020169461.tif 000003
【図２】
2020169461.tif 000004
【図３】
2020169461.tif 000005
【図４】
2020169461.tif 000006
【図５】
2020169461.tif 000007